(57)【要約】【課題】非常に簡単に釜飯を包装することができ、しかも持ち運びに対しても安定性のある釜飯用包装紙を提供する。【解決手段】釜飯２を載置する矩形状の底面部１１の対向する２辺で折り曲げられ、釜飯２の側面の出っ張り部が突出するように開口部１２ｅが形成された第１および第２の側面部１２ａ、１２ｂが形成され、さらに、釜飯２の上面を覆うように第１および第２の上面部１３ａ、１３ｂが形成され、その先端部には、折返し部１４ａ、１４ｂが形成され、凸歯２２ａに引っ掛かるように形成されている。底面部１１の他の１辺に第３の側面部１２ｃが折り曲げられることにより形成され、さらに折り曲げられることにより第３の上面部１３ｃが形成され、さらに折り曲げられて、第３の側面部１２ｃと対向するように第４の側面部１２ｄが形成され、その端部が底面部１１に接続されている。【選択図】図２
2015013685.tif 000002
【特許請求の範囲】
【請求項１】
平面視の外形がほぼ円形で丼状の容器と該容器部の開口部に蓋をするための２個の凸歯を有する蓋体とを具備する釜飯を包装する釜飯用包装紙であって、
前記釜飯を載置する矩形状の底面部と、該底面部の対向する２辺で折り曲げられ、前記釜飯の側面の出っ張り部が突出するように開口部がそれぞれ形成された第１および第２の側面部と、該第１および第２の側面部のそれぞれが折り曲げられて前記釜飯の上面を覆う第１および第２の上面部と、該第１および第２の上面部のそれぞれの先端部に形成される折返し部であって、該折返し部が前記蓋体の凸歯の一方をそれぞれ抱え込んで前記凸歯に引っ掛かるように形成されると共に、前記第１および第２の上面部の折返しの位置が前記蓋体の２個の凸歯の間で重ならない位置に形成される折返し部と、前記底面部の前記第１および第２の側面部が形成された２辺と異なる１辺で折り曲げられることにより形成される第３の側面部と、該第３の側面部がさらに折り曲げられることにより前記釜飯の上面を覆うように形成される第３の上面部と、該第３の上面部が前記第３の側面部と対向するようにさらに折り曲げられることにより形成される第４の側面部とが形成され、該第４の側面部の端部が前記底面部の辺部と接続されてなる釜飯用包装紙。
【請求項２】
前記開口部が前記底面部側で弧形に形成されると共に、前記釜飯の上部および鍔部が前記第１および第２の側面部から突出するように形成されてなる請求項１記載の釜飯用包装紙。
【請求項３】
前記第１および第２の上面部とそれぞれ連なり、前記蓋体を覆う半円状部が残るように前記開口部が形成されてなる請求項１または２記載の釜飯用包装紙。
【請求項４】
前記第１および第２の上面部の折返し部の折り返される部分の側縁のそれぞれが円弧形状に形成されてなる請求項１〜３のいずれか１項に記載の釜飯用包装紙。
【請求項５】
前記第３の側面部の両側部および前記第４の側面部の両側部にそれぞれ前記第１および第２の側面部と重なる折曲げ部が形成されてなる請求項１〜４のいずれか１項に記載の釜飯用包装紙。
【請求項６】
前記底面部の前記第３の側面部が形成された辺と対向する辺に折曲げ部が形成され、該折曲げ部と前記第４の側面部の端部とが接着されてなる請求項１〜５のいずれか１項に記載の釜飯用包装紙。
【発明の詳細な説明】
【技術分野】
【０００１】
本発明は、駅の売店で販売される駅弁やスーパーマーケット、コンビニエンスストアなどで販売される釜飯用の包装紙に関する。さらに詳しくは、使い捨ての簡単な包装紙でありながら、少々の持ち運びに対しても、蓋などが移動することなく、また、釜飯が包装紙から抜け落ちることなく、安定した状態で持ち運びをすることができると共に、商品表示や製造者名などを簡単に印刷することができる釜飯用包装紙に関する。
【背景技術】
【０００２】
従来の釜飯用包装紙は、たとえば図５に示されるように、蓋をした釜飯５１の上から包装紙５２を被せ、十字状に紐５３で結ぶか、輪ゴムで首の部分で包装紙を保持する構造である。しかし、このような包装の仕方では、丸いものを紐５３で十字に結んでも、紐５３が少しずれると紐５３が緩くなって、簡単に外れてしまい、持ち運ぶには非常に不安定で安定して持ち運びをすることができない。また、輪ゴムで包装紙５２をとめる構造では、容器本体と蓋体とも固定されていないため、ただ置いておくだけなら良いが、持ち運びをしようとすると、非常に不安定でお盆などに載置してしか持ち運びをすることができないという問題がある。
【０００３】
このような問題を解決するために、たとえば図６に示されるように、正方形状の厚紙などで結束補助用具５５を釜飯５１の下に設けて、その結束補助用具５５の４辺の中央部に紐係止溝５５ａを形成しておき、結束補助用具の裏側から、紐係止溝５５ａに結束紐５３を通して結ぶ構造のものも知られている（たとえば特許文献１参照）。
【０００４】
【特許文献１】特開２００９−１２６５３１号公報
【発明の概要】
【発明が解決しようとする課題】
【０００５】
前述のように、包装紙を釜飯の釜蓋の上から被せて、そのまま紐で結ぶ構造では、紐で結んでも、輪ゴムで包装紙をとめる構造にしても、釜飯の蓋が動きやすく、静かに動かして置いておくだけなら良いが、たとえば駅弁とか、コンビニエンスストアなどで買って自宅まで持ち帰るというような場合には、非常に不安定で適しないという問題がある。
【０００６】
また、前述の図６に示されるような結束補助用具５５を用いる構造にすると、釜飯５１を載置した結束補助用具５５の下側に結束紐５３を一々這わせ、さらに紐係止溝５５ａに結束紐５３を通して十字結びをしなければならないため、包装に相当時間がかかるという問題がある。しかも、炊きたての釜飯を包装しようとすると、釜飯自身が非常に熱く、火傷などをしやすく、余計に時間がかかると共に、危険であるという問題がある。
【０００７】
本発明は、このような状況に鑑みてなされたもので、非常に簡単に釜飯を包装することができ、しかも持ち運びに対しても安定性のある釜飯用包装紙を提供することを目的としている。
【課題を解決するための手段】
【０００８】
本発明の釜飯用包装紙は、平面視の外形がほぼ円形で丼状の容器本体と該容器本体の開口部に蓋をするための２個の凸歯を有する蓋体とを具備する釜飯を包装する釜飯用包装紙であって、前記釜飯を載置する矩形状の底面部と、該底面部の対向する２辺で折り曲げられ、前記釜飯の側面の出っ張り部が突出するように開口部がそれぞれ形成された第１および第２の側面部と、該第１および第２の側面部のそれぞれが折り曲げられて前記釜飯の上面を覆う第１および第２の上面部と、該第１および第２の上面部のそれぞれの先端部に形成される折返し部であって、該折返し部が前記蓋体の凸歯の一方をそれぞれ抱え込んで前記凸歯に引っ掛かるように形成されると共に、前記第１および第２の上面部の折返しの位置が前記蓋体の２個の凸歯の間で重ならない位置に形成される折返し部と、矩形状の底面部の前記第１および第２の側面部が形成された２辺と異なる１辺で折り曲げられることにより形成される第３の側面部と、該第３の側面部がさらに折り曲げられることにより前記釜飯の上面を覆うように形成される第３の上面部と、該第３の上面部が前記第３の側面部と対向するようにさらに折り曲げられることにより形成される第４の側面部とが形成され、該第４の側面部の端部が前記底面部の辺部と接続されている。
【０００９】
ここに釜飯とは、羽釜（容器本体）と釜蓋（蓋体）とからなる食器を意味し、通常は内部に料理された食物が入っているが、内部に食物が入っているか否かについては問わない。
【００１０】
前記開口部が、前記底面部側で弧形に形成されると共に、前記釜飯の上部および鍔部が前記第１および第２の側面部から突出するように形成されていることにより、釜飯の側部を抱え込みながら、包み込むことができるため、非常に強固な包装を簡単に行うことができる。
【００１１】
前記第１および第２の上面部とそれぞれ連なり、前記蓋体を覆う半円状部が残るように前記開口部が形成されていることにより、包装紙を有効に利用しながら、蓋体の上面部を殆ど覆うことができるため好ましい。ここに半円状部とは、半円状の弦の長さが直径ではなく、直径の１／４程度以上のものを含む意味であり、また、円も厳密な円を意味するものではなく、円形に似せた形状のものを含む意味である。
【００１２】
前記第１および第２の上面部の折返し部の折り返される部分の側縁のそれぞれが円弧形状に形成されていることにより、包装紙により釜飯を包み込む際に、第１または第２の上面部の裏側に折返し部の先端部を挿入しやすくなるため好ましい。
【００１３】
前記第３の側面部の両側部および前記第４の側面部の両側部に、それぞれ前記第１および第２の側面部と重なる折曲げ部が形成されていることにより、第１および第２の側面部が第３および第４の側面部の折曲げ部と重なるため、より一層堅固に包装することができる。
【００１４】
前記底面部の前記第３の側面部が形成された辺と対向する辺に折曲げ部が形成され、該折曲げ部と前記第４の側面部の端部とが接着される構造にすることにより、第３および第４の側面部を折り曲げて接着するだけで簡単に骨格部を形成することができ、釜飯を挿入して第１および第２の側面部を折り曲げるだけで簡単に包装することができる。
【発明の効果】
【００１５】
本発明の釜飯用包装紙によれば、１枚の紙を所定の形状に切断して折り曲げるだけで簡単に形成することができ、しかも第４の側面部の端部と底面部とを予め接着しておくことにより、釜飯をその内部に挿入して第１および第２の側面部を折り曲げて、折返し部の先端部を蓋体の凸歯に嵌め合せる（引っ掛ける）だけで釜飯を包み込むことができ、料理したての熱い釜飯でも、火傷することなく簡単に包み込むことができる。しかも、第１および第２の側面部に形成された開口部に釜飯の両側部が突出する構造になっているため、釜飯の一部が第１および第２の側面部の開口部に当るか、少なくとも釜飯が動くとそのいずれかの部分が開口部に当り、包装紙の内部で簡単には回転することがない。また、第１および第２の側面部とそれぞれ一体に形成された第１および第２の折返し部により蓋体の凸歯を抱え込んでおり、釜飯が動くと第１または第２の側面部が引っ張られるため、折返し部による抱え込む力が強くなり、蓋体を押え込む効果と折返し部の先端が蓋体の凸部分を抱え込む作用を増幅させる効果をもたらす。さらに、第１および第２の上面部は第１および第２の側面部と一体に形成されているため、蓋体も容器本体と一体的に固定され、非常に安定した状態で包装することができる。さらに第３の上面部にミシン線を入れておくことにより、強固に包装されていても、また、釜飯が熱い状態でも、簡単にミシン線で切断して包装紙を開封することができる。
【００１６】
上記構造で、第３側面部および第４側面部に、または第３の上面部の両端部側に取っ手を貼り付けることにより、熱い釜飯であっても、容易にぶら下げて持ち運びをすることができる。すなわち、包装紙自体が釜飯を非常に安定的に固定しているため、ぶら下げて運搬しても、何ら支障を生じない。
【００１７】
さらに、本発明の包装紙によれば、１枚の紙を折り曲げるだけで形成しているため、予め表面に宣伝文句や使用上の説明などを印刷することができ、印刷後に型で切断して折り曲げることができるので、所望の装飾を施した包装紙にすることができる。
【図面の簡単な説明】
【００１８】
【図１】本発明の包装紙の一実施形態により釜飯を包装した状態の斜視説明図である。
【図２】図１の分解図で、釜飯を挿入して包装する段階の説明図である。
【図３】図１の断面説明図である。
【図４】図１の包装紙の展開図である。
【図５】従来の釜飯の包装の一例を示す斜視説明図である。
【図６】従来の釜飯の包装の他の例を示す斜視説明図である。
【発明を実施するための形態】
【００１９】
つぎに、図面を参照しながら本発明の釜飯用包装紙について、図１〜４を参照しながら説明をする。本発明の釜飯用包装紙は、図１および図２に斜視図および分解説明図が示されるように、平面視の外形がほぼ円形で丼状の容器本体２１と、その容器本体２１の開口部に蓋をするための２個の凸歯２２ａを有する蓋体２２とを具備する釜飯２を包装する釜飯用包装紙１であって、釜飯２を載置する矩形状の底面部１１を有している。その底面部１１の対向する２辺で折り曲げられ、釜飯２の側面の出っ張り部が突出するように開口部１２ｅがそれぞれ形成された第１および第２の側面部１２ａ、１２ｂが形成され、さらに、その第１および第２の側面部１２ａ、１２ｂのそれぞれが折り曲げられて釜飯２の上面を覆うように第１および第２の上面部１３ａ、１３ｂが形成されている。第１および第２の上面部１３ａ、１３ｂのそれぞれの先端部には、折返し部１４ａ、１４ｂが形成され、その折返し部１４ａ、１４ｂは蓋体２２の凸歯２２ａの一方をそれぞれ抱え込んで凸歯２２ａに引っ掛かるように形成されると共に、第１および第２の上面部１３ａ、１３ｂの折返しの位置Ａ（図３参照）が２個の凸歯２２ａの間で重ならない位置に形成されている。
【００２０】
底面部１１の第１および第２の側面部１２ａ、１２ｂが形成された２辺と異なる１辺に第３の側面部１２ｃが折り曲げられることにより形成され、その第３の側面部１２ｃがさらに折り曲げられることにより釜飯２の上面を覆うように第３の上面部１３ｃが形成されている。この第３の上面部１３ｃは、さらに折り曲げられることにより、第３の側面部１２ｃと対向するように第４の側面部１２ｄが形成され、第４の側面部１２ｄの端部が底面部１１の辺部、図２に示される例では、底面部１１に形成された折曲げ部１５と糊などの接着剤により接続されている。
【００２１】
この包装紙１は、展開図が図４に示されている。１枚の紙を切断して折り曲げるだけで形成されている。すなわち、図４に示される実線で切断され、破線で示されるところで折り曲げることにより図２に示されるように組み立てられる。紙は、釜飯２を吊り上げる強度が必要になるため、たとえば０.４〜０.５ｍｍ程度の厚さの紙が使用される。また、食物を包装するものであるため、美観も必要であり、さらに表面には内容物の表示や提供者の表示などの印刷を施す必要があるため、表面が白いコートボールやカード紙などの用紙が用いられる。そのような用紙の一面に必要な事項を印刷して、金型などにより打ち抜くことで、大量生産をすることができる。この際、折り曲げるところに折曲げ用の折罫を入れることにより簡単に折り曲げることができる。また、後述する包装後に釜飯２を取り出す際に、たとえば第３の上面部１３ｃにミシン線Ｍを入れておくことにより、釜飯が熱くても容易に包装紙を開封して釜飯２を取り出すことができる。
【００２２】
底面部１１の大きさは、図４に示される例では、矩形状になっているが、この長辺は釜飯２の鍔部２１ａの直径と同程度、すなわち釜飯２の外径寸法程度で、短辺は釜飯２の容器本体２１の底面の直径よりやや大きい寸法程度に形成されている。しかし、これらの寸法はこれらの直径と一致している必要はなく、多少変動しても問題はない。第１の側面１２ａおよび第２の側面１２ｂはこの長辺と同じ幅で直角方向に折り曲げられることにより形成されている。この第１および第２の側面部１２ａ、１２ｂには、開口部１２ｅが形成され、釜飯２の高さ（凸歯２２ａの頂部まで含めた高さ）の位置で折り曲げられて、それぞれ第１および第２の上面部１３ａ、１３ｂに繋がっている。この開口部１２ｅは、底面部１１側に底部を有する円弧状の曲線部が形成されると共に、釜飯２の鍔部２１ａが入り得る切込み部１２ｅｇが形成されている。すなわち、釜飯２の容器本体２１の外径に似せた形状で、その切込み部１２ｅｇの曲線部と反対側は直線状に上面部１３ａ、１３ｂまで延びているが、第１および第２の上面部に繋がって蓋体２２の残部を覆う蓋部１３ｅが残るように開口部１２ｅが形成されている。
【００２３】
第１および第２の上面部１３ａ、１３ｂは、前述のように、第１および第２の側面部１２ａ、１２ｂが折り曲げられることにより、釜飯２の凸歯２２ａを上から覆うように形成されている。この上面部１３ａ、１３ｂには、前述のように第１および第２の側面部１２ａ、１２ｂから折り曲げられたときに、蓋体２２の残部を覆うように蓋部１３ｅが一体に形成されている。その結果、図１に斜視説明図が示されるように、釜飯２の表面に蓋部１３ｅが露出している。
【００２４】
この第１および第２の上面部１３ａ、１３ｂの端部には、折返し部１４ａ、１４ｂが形成されている。この折返し部１４ａ、１４ｂは、それぞれ第１および第２の上面部１３ａ、１３ｂの裏側、すなわち、図２の上側に１８０°折り返され、釜飯２を挿入して第１および第２の上面部１３ａ、１３ｂで蓋体２２を被覆したときに、図３に断面説明図が示されるように、折返し部１４ａ、１４ｂの先端部が、丁度蓋体２２の２つの凸歯２２ａの内側（２つの凸歯が向い合う側）の側面に引っ掛かって抜けなくなる構造に形成されている。この第１および第２の上面部１３ａ、１３ｂは、後述する第３の上面部１３ｃの下側（釜飯側）に挿入して組み立てられるため、折返し部１４ａ、１４ｂは、蓋体２２と第３の上面部１３ｃとで挟みつけられ、折返し部１４ａ、１４ｂが凸歯２２ａで止まってしっかりと固定される。なお、この折返し部１４ａ、１４ｂの折り返す位置Ａは、この折返し部１４ａ、１４ｂが相互に重ならないように、かつ、２つの凸歯２２ａの間に位置するように折返しの位置Ａが決められている。
【００２５】
また、図４に示される例では、折返し部１４ａ、１４ｂは、その側部が弧形Ｒに形成されている。このような弧形Ｒにする必要はないが、弧状に形成されていることにより、第３の上面部１３ｃと蓋体２２との間に挿入するのに挿入しやすくなるため好ましい。
【００２６】
一方、底面部１１の短辺側の一方で折り曲げられて第３の側面部１２ｃが形成されている。この第３の側面部１２ｃは、底面側で広く、上面側で若干狭くなるように形成されると共に、その両側部に折曲げ部１２ｆが形成されている。この折曲げ部１２ｆは、第１および第２の側面部１２ａ、１２ｂと重なって、その補強をすると共に、折り曲げることにより第３の側面部１２ｃの立ち上がりを強化する役割を果たしている。また、折曲げ部１２ｆが設けられることにより、第１および第２の側面部１２ａ、１２ｂが安定して釜飯２を安定に保持することができる。そのため、この折曲げ部１２ｆには、第１および第２の側面部１２ａ、１２ｂに形成されている開口部１２ｅの切込み部１２ｅｇと一致する逃げ部１２ｇが形成されている。その結果、図１に示されるように釜飯２の鍔部２１ａがこの切込み部１２ｅｇおよび逃げ部１２ｇに挿入されて釜飯２を固定する。
【００２７】
この第３の側面部１２ｃの端部で、さらに折り曲げられて第３の上面部１３ｃが形成されている。第３の上面部１３ｃは第３の側面部１２ｃの終端部（包装した際の上端部）の幅と同じ幅で形成されているが、この第３の上面部１３ｃの形状は制限されない。この第３の上面部１３ｃの適当な位置にミシン線Ｍを入れておくことにより、包装紙１で包装された釜飯２を取り出すときに第３の上面部１３ｃを簡単に切断することができ、容易に取り出すことができるため好ましい。
【００２８】
この第３の上面部１３ｃが、底面部１１の長辺と同じ長さになるところで、さらに折り曲げることにより第４の側面部１２ｄが形成されている。この第４の側面部１２ｄは、第３の側面部１２ｃと対称な形をしており、第３の側面部１２ｃと同様な折曲げ部１２ｆおよび逃げ部１２ｇが形成されている。この第４の側面部１２ｄの端部は、図４に示される例では、底面部１１の辺部に形成された折曲げ部１５と糊付けなどにより接着される構造になっている。しかし、この第４の側面部１２ｄの端部と底面部１１の一辺とは、接続されていればよく、このような構造に限定される訳ではなく、たとえば第４の側面部１２ｄの端部に、さらに接着用の折曲げ部が形成され、その折曲げ部が底面部１１の内側または外側に接着される構造でも構わないし、第４の側面部１２ｄの端部での接着でなくても、いずれかで接着されて、リング状に形成されていれば良い。
【００２９】
本発明の包装紙１は、このような構造になっているため、たとえば前述の必要な表示の印刷をして図４に示される形状に切断した後に、第４の側面部１２ｄと底面部とが接着された状態で平面状に折り畳んでおくことにより、嵩をとることなく保管することができながら、使用する際には、図２に示されるように、折り畳んである第３および第４の側面部１２ｃ、１２ｄと第３の上面部１３ｃを起こし、釜飯２をその内部に挿入し、第１および第２の側面部１２ａ、１２ｂを上方に折り曲げ、さらに第１および第２の上面部１３を底面部１１と平行方向に折り曲げると共に、その先端部の折返し部１４ａ、１４ｂを内側に１８０°折り曲げて第３の上面部１３ｃの下に挿入する。その結果、図１に斜視図で示されるように、包装紙１で包まれた釜飯２が得られる。
【００３０】
なお、図１などには記載されていないが、たとえばティッシュペーパを数箱束ねて運搬するときの手提げバンドのような、端部に接着部が形成された帯状のプラスチックフィルムまたは紙などからなる手提げバンドなどを準備しておいて、第３および第４の側面部１２ｃ、１２ｄの上部に貼り付けるか、あるいは第３の上面部１３ｃの両端部に貼り付けることにより、料理したばかりの熱々の釜飯２でも、火傷などの心配がなく、また、釜飯２が包装紙から抜け落ちる心配もなく、運搬することができる。さらに本発明によれば、非常に簡単に組み立てることができるため、料理したばかりで熱々の釜飯２であっても、アルバイトなどの素人でも、簡単に包装紙１内に包み込むことができる。
【符号の説明】
【００３１】
１    包装紙
１１  底面部
１２ａ〜１２ｄ    第１〜第４の側面部
１３ａ〜１３ｃ    第１〜第３の上面部
１４ａ〜１４ｂ    第１〜第２の折返し部
１２ｅ    開口部
１２ｅｇ  切込み部
１２ｆ    折曲げ部
１５    折曲げ部
２    釜飯
２１    容器本体
２１ａ  鍔部
２２    蓋体
２２ａ  凸歯
【図１】
2015013685.tif 000003
【図２】
2015013685.tif 000004
【図３】
2015013685.tif 000005
【図４】
2015013685.tif 000006
【図５】
2015013685.tif 000007
【図６】
2015013685.tif 000008